(57)【要約】【課題】無線基地局装置において、稼動状態のベースバンドカードの数を制御することを、課題とする。【解決手段】複数のベースバンドカードを有する無線基地局装置であって、前記複数のベースバンドカードのそれぞれのリソース使用量を測定する測定部と、前記測定部が測定したリソース使用量に基づいて、前記複数のベースバンドカードのそれぞれに収容されるリソースのリソース収容替えを行う制御部とを備える無線基地局装置とする。【選択図】図４
2011101104.tif 000002
【特許請求の範囲】
【請求項１】
複数のベースバンドカードを有する無線基地局装置であって、
前記複数のベースバンドカードのそれぞれのリソース使用量を測定する測定部と、
前記測定部が測定したリソース使用量に基づいて、前記複数のベースバンドカードのそれぞれに収容されるリソースのリソース収容替えを行う制御部とを、
備える無線基地局装置。
【請求項２】
前記測定部が測定したリソース使用量に基づいて、前記リソース収容替えを行うベースバンドカードを選択する判定部と、
を更に備え、
前記制御部は、前記判定部が選択したベースバンドカードが収容するリソースの他のベースバンドへのリソース収容替えを行い、前記判定部が選択したベースバンドカードへの電力供給を停止する、
請求項１記載の無線基地局装置。
【請求項３】
前記制御部は、
前記測定部が測定したリソース使用量が小さいベースバンドカードから順に、前記リソース収容替えを行い、
前記リソース収容替え開始から所定時間後に、前記リソース収容替えが完了したベースバンドカードに対する電力供給を停止し、前記リソース収容替えが完了しないベースバンドカードに対する前記リソース収容替えを中止する、
請求項１または２に記載の無線基地局装置。
【請求項４】
前記制御部は、リソース割当要求に対するリソース割当不可の割合である受付不可発生率が、前記リソース収容替え開始後、所定時間内に、所定の値を超えた場合、前記リソース収容替えを中止し、電力供給を停止しない、
請求項１から３のいずれか１つに記載の無線基地局装置。
【請求項５】
前記複数のベースバンドカードは、リソース収容替え可能なリソースを収容可能でありリソース収容替えできないリソースを収容できない第１ベースバンドカード、及び、リソース収容替え可能なリソースとリソース収容替えできないリソースとを収容可能である第２ベースバンドカードを含み、
前記制御部は、前記第１ベースバンドカードのリソース使用量と前記第２ベースバンドカードのリソース使用量との和が第１所定値以下であり、かつ、前記第２ベースバンドカードのリソース使用量が第２所定値以下である場合、すべての前記第１ベースバンドカードに対して、前記リソース収容替えを行い、電力供給を停止する、
請求項１から４のいずれか１つに記載の無線基地局装置。
【請求項６】
前記制御部は、リソース割当要求に対するリソース割当不可の割合である受付不可発生率が、所定時間、所定の値を超えた場合、電力供給が停止されているベースバンドカードに電力供給を行う、
請求項１から５のいずれか１つに記載の無線基地局装置。
【請求項７】
複数のベースバンドカードを有する無線基地局装置において、
前記複数のベースバンドカードのそれぞれのリソース使用量を測定し、
測定されたリソース使用量に基づいて、前記複数のベースバンドカードのそれぞれに収容されるリソースのリソース収容替えを行う、
無線基地局装置制御方法。
【発明の詳細な説明】
【技術分野】
【０００１】
本発明は、複数のベースバンドカードを有する無線基地局装置及び無線基地局装置制御方法に関する。
【背景技術】
【０００２】
移動通信システムにおいて、加入者の増加に伴い、無線基地局の大容量化が進んでいる。また、インターネット等のＩＰ（Internet Protocol）技術の普及により、高速データ通信に対する需要が急増している。そのため、従来の音声、低速パケット通信を主体としたサービス（以下、既存サービスという）から、より高速なデータ通信を可能とするサービスへの機能エンハンスが図られている。より高速なデータ通信を可能とするサービスとして、例えば、ＨＳＤＰＡ（High Speed Downlink Packet Access）方式やＨＳＵＰＡ（High Speed Uplink Packet Access）方式を適用したサービス（以下、ＨＳサービスという）が挙げられる。ＨＳサービス等が利用されることにより、サービスの多様化が進んでいる。
【０００３】
このような加入者増、サービス多様化に対応するため、無線基地局においては、既存サービスに対応したベースバンドカードの増設およびＨＳサービスに対応したベースバンドカードの新設が行われている。無線基地局に実装されるベースバンドカードの増加に伴い、無線基地局の運用に要する消費電力は、増加傾向にある。
【０００４】
ＨＳサービスは、セル単位で共有するベースバンドリソースを各ユーザでシェアして使用するベストエフォート（Best Effort）方式である。このため、同一セルにてＨＳサービスで通信するユーザのリソースを同一のベースバンドカードに収容することが一般的である。この場合、ＨＳサービスを行う運用セル数に応じた複数のベースバンドカードが常に実装され、各ユーザのリソースをセル単位に収容する特定セル括り付けのリソース収容方法が取られる。
【０００５】
一方、既存サービスで通信するユーザのリソースは、同一セル内の他のユーザから影響を受けない固定的なリソースである。このため、ユーザが通信するセルに依存することなく、ユーザのリソースを任意のベースバンドカードに収容することが可能である。この場合、ベースバンドカードが無線基地局に少なくとも１枚実装されることで運用可能となる。通常は、トラヒック量に見合った数のベースバンドカードが無線基地局に実装され、各ベースバンドカードは、各ユーザのリソースをラウンドロビン方式で分散して収容する。さらに、特定のベースバンドカードへの負荷集中を回避するようなセルフリーのリソース収容方法が採られる。
【０００６】
ここで、ベースバンドカード群１のベースバンドカードは、既存サービスで通信するユーザのリソースを収容可能でありＨＳサービスで通信するユーザのリソースを収容不可であるベースバンドカードであるとする。また、ベースバンドカード群２のベースバンドカードは、既存サービスに加えてＨＳサービスで通信するユーザのリソースも収容可能なベースバンドカードであるとする。無線基地局にベースバンドカード群１のベースバンドカード及びベースバンドカード群２のベースバンドカードが混在実装されているとする。既存サービスで通信するユーザのリソースは、ベースバンドカード群１のベースバンドカードに空きリソースが有る限り、ベースバンドカード群１のベースバンドカードに収容される。ＨＳサービスで通信するユーザのリソースは、ベースバンドカード群２のベースバンドカードに収容される。既存サービスで通信するユーザのリソースは、ベースバンドカード群１のベースバンドカードに空きリソースがない場合、ベースバンドカード群２のベー
スバンドカードに収容される。
【先行技術文献】
【特許文献】
【０００７】
【特許文献１】特開２００８−１２９８４６号公報
【特許文献２】特開２００６−１９１４６９号公報
【発明の概要】
【発明が解決しようとする課題】
【０００８】
図１は、ベースバンドカードのリソース使用量が多い場合の例を示す図である。図２は、ベースバンドカードのリソース使用量が少ない場合の例を示す図である。ベースバンドカード群１のベースバンドカードは既存サービスで通信するユーザのリソースを収容可能でありＨＳサービスで通信するユーザのリソースを収容不可であるベースバンドカードである。ベースバンドカード群２のベースバンドカードは、既存サービスに加えてＨＳサービスで通信するユーザのリソースも収容可能なベースバンドカードである。
【０００９】
リソース収容方法による負荷分散およびサービスに応じた収容先ベースバンドカードの優先度付けは、図１（例えば、日中帯）のように既存サービス、ＨＳサービスともにリソース使用量が多い場合には効果的である。しかし、図２（例えば、夜間帯）のようにリソース使用量が下がる時間帯においては、各ベースバンドカードの使用率が低くなるため、ベースバンドカードが余剰に稼動している状態となる。
【００１０】
特にオフィス街、駅、デパート構内等の日中と夜間とでリソース使用量が大きく変動するエリアをカバーする無線基地局においては、この傾向が顕著に現れる。ベースバンドカードが余剰状態のまま運用することは、無駄な電力を消費することに繋がる。
【００１１】
ベースバンドカードの稼動数を最適化し余剰状態を回避する方法として、リソースが収容されていない空きベースバンドカードを運用から切り離す方法が考えられる。しかし、各ユーザの保留時間のバラツキにより空きベースバンドカードが存在するとは限らない。また、稼動状態のベースバンドカードの数を増減させる場合、呼処理に影響を与えないように考慮することが望ましい。
【００１２】
開示の装置は、複数のベースバンドカードを有する無線基地局装置であって、稼動状態のベースバンドカードの数を制御することを目的とする。
【課題を解決するための手段】
【００１３】
開示の一態様は、複数のベースバンドカードを有する無線基地局装置であって、前記複数のベースバンドカードのそれぞれのリソース使用量を測定する測定部と、前記測定部が測定したリソース使用量に基づいて、前記複数のベースバンドカードのそれぞれに収容されるリソースのリソース収容替えを行う制御部とを備える無線基地局装置である。
【発明の効果】
【００１４】
開示の実施形態によれば、複数のベースバンドカードを有する無線基地局装置において、稼動状態のベースバンドカードの数を制御することができる。
【図面の簡単な説明】
【００１５】
【図１】図１は、ベースバンドカードのリソース使用量が多い場合の例を示す図である。
【図２】図２は、ベースバンドカードのリソース使用量が少ない場合の例を示す図である。
【図３】図３は、移動通信システムの構成例を示す図である。
【図４】図４は、無線基地局の構成例を示す図である。
【図５】図５は、無線基地局のタイムチャートの例を示す図である。
【図６】図６は、判定部が行う判定１の処理フローの例を示す図である。
【図７】図７は、判定部が行う判定２の処理フローの例を示す図である。
【図８】図８は、判定部が行う判定３の処理フローの例を示す図である。
【図９】図９は、ベースバンドカードの構成およびリソース使用量の例を示す図である。
【図１０】図１０は、判定部が行う判定１１の処理フローの例を示す図である。
【発明を実施するための形態】
【００１６】
以下、図面を参照して実施形態について説明する。実施形態の構成は例示であり、開示の実施形態の構成に限定されない。
【００１７】
〔実施形態１〕
（構成例）
図３は、移動通信システムの構成例を示す図である。移動通信システム１０００は、基地局制御局１００、無線基地局２００、移動局（移動端末）３００、及び、保守端末４００を含む。
【００１８】
図４は、無線基地局の構成例を示す図である。移動通信システム１０００における無線基地局２００は、回線処理部２０２、監視制御部２０４、ベースバンド処理部２０６、呼処理部２０８、無線部２１０、一次電源２３０、スイッチ２３２、アンテナ２５０を含む。無線基地局２００は、各ベースバンドカードのリソース使用量を測定するリソース測定部２２２、リソース収容替えの可否を判定する判定部２２４、および、リソース収容替え制御および電源制御を行うカード制御部２２６を含む。無線基地局２００は、無線基地局２００の上位装置となる基地局制御局１００と回線処理部２０２を介して接続される。無線基地局２００は、無線基地局２００の上位装置となる保守端末４００と回線処理部２０２を介して接続される。
【００１９】
回線処理部２０２は、装置間で送受信するデータの終端処理を行う。無線基地局２００は、移動局３００と、無線部２１０及びアンテナ（ＡＮＴ）２５０を介して接続され、無線部２１０は移動局３００と送受信する無線信号の変復調処理を行う。
【００２０】
監視制御部２０４は、回線処理部２０２を介して保守端末４００と通信を行う。監視制御部２０４は、無線基地局２００内の各処理部に対する監視制御を行う。監視制御部２０４は、監視制御情報に基づき、ベースバンドカードに対するリソース収容替え制御およびベースバンドカードに供給される一次電源２３０の電源制御を行う。監視制御情報は、無線基地局２００を遠隔監視制御する保守端末４００から監視制御部２０４に通知される。
【００２１】
ベースバンド処理部２０６は、複数のベースバンドカードを含む。ベースバンドカード処理部２０６は、呼処理部２０８やカード制御部２２６からの指示に従い、ベースバンドカードを制御する。
【００２２】
呼処理部２０８は、リソース管理部２０９を含む。呼処理部２０８は、基地局制御局１００からの呼設定情報に基づいて、移動局３００と通信するためのハードウェアリソースをベースバンド処理部２０６に設定する。呼処理部２０８は、ベースバンド処理部２０６と他処理部との間のパスを設定し、移動局３００との無線アクセスリンクを確立させる。呼設定情報は、新規ユーザの受付時、収容済みユーザのサービス変更の受付時に、基地局制御局１００等から無線基地局２００に通知される。
【００２３】
リソース測定部２２２は、各ベースバンドカードで使用しているリソース（収容しているリソース）の量であるリソース使用量を呼処理部２０８内のリソース管理部２０９から所定時間（例えば、時間ｔ１）毎にサンプリング収集する。リソース測定部２２２は、一定期間（例えば、ｔ１×ｎ）のサンプリング結果から算出した平均リソース使用量、および、判定部２２４に通知するタイミングにおける直近（最後）のリソース使用量を判定部２２４に通知する。
【００２４】
判定部２２４は、リソース測定部２２２から通知された平均リソース使用量、及び、直近のリソース使用量から、あらかじめ設定されている目標平均使用率以下を満足できるベースバンドカードの必要最小数を算出する。稼動状態のベースバンドカードが必要最小数より多い場合は、判定部２２４は、リソース収容替え制御の対象とするベースバンドカードを直近のリソース使用量が小さいベースバンドカードから優先して選択する。判定部２２４は、リソース収容替え制御を行うためのカード制御情報をカード制御部２２６に通知する。
【００２５】
判定部２２４は、受付不可発生率および各ベースバンドカードのカード状態を監視する。受付不可発生率は、呼処理部２０８における、所定時間（例えば、時間ｔ２）内の、全呼設定受付回数に対する、呼設定受付時にリソース不足が原因で呼設定受付不可となった回数の割合を示す。判定部２２４は、あらかじめ設定されている受付不可発生率の閾値および各ベースバンドカードのカード状態に応じて、カード制御情報をカード制御部２２６に通知する。カード制御情報は、リソース収容替え制御もしくはベースバンドカードに供給される一次電源２３０の電源制御を行うための情報である。
【００２６】
カード制御部２２６は、カード制御情報に基づき、ベースバンドカードに対するリソース収容替え制御およびベースバンドカードに供給される一次電源２３０の電源制御を行う。カード制御部２２６は、カード制御情報を、判定部２２４から通知される。
【００２７】
スイッチ２３２は、監視制御部２０４又はカード制御部２２６からの指示に基づき、一次電源２３０からベースバンド処理部２０６のベースバンドカードに、電力の供給（電源オン）又は電力の供給停止（電源オフ）を行う。
【００２８】
保守端末４００は、無線基地局２００を遠隔操作し、ベースバンド処理部２０６のベースバンドカードの電源制御を行うことができる。保守端末４００は、無線基地局２００から稼動状態のベースバンドカードの数を取得することができる。
【００２９】
（動作例）
図５は、無線基地局のタイムチャートの例を示す図である。図５のタイムチャートの横軸は、時間軸である。
【００３０】
図５に示されるベースバンドカードは、既存サービスに対応したベースバンドカードであり、セルフリーのリソースを収容する。ユーザ毎の個別チャネルリソースを収容可能なベースバンドカードとして＃１乃至＃６の計６枚が初期実装されている。
【００３１】
無線基地局２００が再開され運用状態に入ると、リソース測定部２２２はリソース管理部２０９から各ベースバンドカード（＃１乃至＃６）のリソース使用量をサンプリング周期ｔ１毎に収集し、ベースバンドカードで使用している全リソース使用量を算出する。サンプリング数が所定のｎ回に達すると、リソース測定部２２２は、ベースバンドカードで使用している全リソース使用量、および、ｎ回目にサンプリングした各ベースバンドカードのリソース使用量を判定部２２４に通知する。全リソース使用量は、全ベースバンドカ
ードの平均リソース使用量Ｒａｖｅ、全ベースバンドカードのｎ回目にサンプリングしたリソース使用量（全ベースバンドカードの直近のリソース使用量）Ｒｎｏｗを含む。以降、無線基地局２００が停止されるまで同様の処理が継続される。
【００３２】
図６は、判定部が行う判定１の処理フローの例を示す図である。判定部２２４は、リソース測定部２２２からリソース使用量が通知されるタイミングで、図６に示す判定１の処理フローを開始する。
【００３３】
判定部２２４は、リソース測定部２２２から平均リソース使用量Ｒａｖｅ、及び、直近のリソース使用量Ｒｎｏｗを取得する。判定部２２４は、平均リソース使用量Ｒａｖｅと、直近のリソース使用量Ｒｎｏｗとを比較する（Ｓ１０２）。
【００３４】
平均リソース使用量Ｒａｖｅが直近のリソース使用量Ｒｎｏｗ以上である場合（Ｓ１０２；ＹＥＳ）、判定部２２４は、変数ＲにＲａｖｅを代入する（Ｓ１０４）。また、平均リソース使用量Ｒａｖｅが直近のリソース使用量Ｒｎｏｗ未満である場合（Ｓ１０２；ＮＯ）、判定部２２４は、変数ＲにＲｎｏｗを代入する（Ｓ１０６）。
【００３５】
判定部２２４は、次の式を満たす最小の整数Ｘ´を算出する（Ｓ１０８）。
【００３６】
【数１】
2011101104.tif 000003
【００３７】
ここで、Ｐは、ベースバンドカードの目標平均使用率である。ｒは、ベースバンドカードのカード１枚当たりの収容可能リソースである。ベースバンドカードの目標平均使用率は、ベースバンドカードの収容可能リソースに対する、無線基地局２００の安定運用のために望ましいベースバンドカードの最大リソース使用量（目標平均使用量）の割合である。無線基地局２００は、ベースバンドカードの使用率が目標平均使用率以下である状態で運用されることが望ましい。ここで判定部２２４が算出する整数Ｘ´は、稼動状態のベースバンドカードの使用率が目標平均使用率以下となる、ベースバンドカードの最小の稼動数である。
【００３８】
判定部２２４は、現在稼動しているベースバンドカードの枚数Ｘと、ステップＳ１０８で算出した整数Ｘ´とを比較する（Ｓ１１０）。判定部２２４は、ベースバンド処理部２０６から現在稼動しているベースバンドカードの枚数Ｘを取得できる。
【００３９】
現在稼動しているベースバンドカードの枚数Ｘが整数Ｘ´以下である場合（Ｓ１１０；ＮＯ）、判定１の処理は終了する。
【００４０】
現在稼動しているベースバンドカードの枚数Ｘが整数Ｘ´より大きい場合（Ｓ１１０；ＹＥＳ）、判定部２２４は、各ベースバンドカードの直近のリソース使用量に基づいて、直近のリソース使用量の少ないカードから（Ｘ−Ｘ´）枚を選択する（Ｓ１１２）。判定部２２４は、選択したベースバンドカードに対するカード制御情報をカード制御部２２６に通知し（Ｓ１１４）、判定１の処理は終了する。選択されたベースバンドカードは、リソース収容替え制御の対象となる。このカード制御情報は、リソース収容替え制御を指示する情報を含む。また、カード制御情報は、制御対象カードおよび制御種別を制御順に含む。
【００４１】
図５の場合、判定部２２４は、判定１においてベースバンドカードの稼働数を６枚から３枚に減少可能と判断し、ベースバンドカード＃４、＃５、＃６の順にリソース収容替え制御を行うためのカード制御情報を、カード制御部２２６に通知している。
【００４２】
カード制御部２２６は、判定部２２４から通知されるカード制御情報に基づいてベースバンドカードのリソース収容替え制御を行う。ベースバンドカードのリソース収容替えを行う際、リソース収容替え対象のベースバンドカードのカード状態は稼動状態から予閉塞状態に遷移する。予閉塞状態に遷移したベースバンドカードに収容されているリソースは、稼動状態の他のベースバンドカードに収容される。予閉塞状態に遷移したベースバンドカードに収容されているリソースは、稼動状態であって、リソース収容替え対象外であるベースバンドカードに収容されるようにしてもよい。予閉塞状態に遷移したベースバンドカードに収容されているすべてのリソースが、他のベースバンドカードに収容されたとき、予閉塞状態に遷移したベースバンドカードのリソース収容替えが完了する。リソース収容替えが完了したベースバンドカードは、予閉塞状態から閉塞状態に遷移する。カード制御部２２６は、複数のベースバンドカードに対するリソース収容替え制御を同時に行わない。カード制御部２２６は、１つのベースバンドカードのリソース収容替えが完了し、カード状態が予閉塞状態から閉塞状態に遷移した後、次のリソース収容替え対象のベースバンドカードのリソース収容替え制御を行う。リソースを収容しているベースバンドカードを閉塞する場合、リソース収容替えが完了するまでの間、当該ベースバンドカードのカード状態は予閉塞状態を継続し、リソース収容替えが完了した時点で、閉塞状態に遷移する。閉塞状態のベースバンドカードには、一次電源２３０から電力が供給されている。
【００４３】
図５の場合、ベースバンドカードに収容しているリソースは任意のベースバンドカードに収容可能なセルフリーのリソースである。ベースバンドカード＃４を閉塞する場合、ベースバンドカード＃４に収容されているリソースは、稼働状態の他カード＃１、＃２、＃３、＃５、＃６に分散して収容替えされる。同様にベースバンドカード＃５を閉塞する場合、ベースバンドカード＃５に収容されているリソースが稼働状態の他カード＃１、＃２、＃３、＃６に分散して収容替えされる。ベースバンドカード＃６を閉塞した時の収容替えは完了できずに、ベースバンドカード＃６は予閉塞状態を継続している。
【００４４】
図７は、判定部が行う判定２の処理フローの例を示す図である。判定部２２４は、受付不可発生率を、周期ｔ２毎に、呼処理部２０８から取得する。受付不可発生率は、移動局３００からのリソース割当要求の回数に対する、リソースを割り当てられなかった回数の割合である。判定部２２４は、リソース収容替え制御を行うためのカード制御情報をカード制御部２２６に通知してから一定期間（電源オフガード時間：ｔ２×ｍ１）経過したタイミングで、図７に示す判定２の処理フローを開始する。
【００４５】
判定部２２４は、予閉塞状態のベースバンドカードが存在しているか否かを確認する（Ｓ２０２）。予閉塞状態のベースバンドカードが存在している場合（Ｓ２０２；ＹＥＳ）、判定部２２４は、予閉塞状態のベースバンドカードに対するカード制御情報をカード制御部２２６に通知する。このカード制御情報は、ベースバンドカードに閉塞解除（予閉塞状態から稼動状態へ遷移すること）を指示する情報である。閉塞解除を指示されたベースバンドカードは、稼動状態に遷移する。カード制御部２２６は、ベースバンド処理部２０６に対し、予閉塞状態のベースバンドカードを稼動状態にすることを指示する。よって、電源オフガード時間内に収容替えが完了しなかったベースバンドカードは、稼動状態に遷移する。
【００４６】
図５の場合、判定部２２４がリソース収容替え制御を行うためのカード制御情報をカード制御部２２６に通知してから電源オフカード時間経過後、ベースバンドカード＃６は予閉塞状態である。このため、ベースバンドカード＃６は稼動状態に遷移する。
【００４７】
図７に戻って、判定部２２４は、電源オフガード時間内の受付不可発生率がすべて所定値（例えば、Ｎ％）以下であるか否かを確認する（Ｓ２０６）。電源オフガード時間内の受付不可発生率がすべて所定値以下である場合（Ｓ２０６；ＹＥＳ）、判定部２２４は、閉塞状態のベースバンドカードが存在するか否かを確認する（Ｓ２０８）。閉塞状態のベースバンドカードが存在する場合（Ｓ２０８；ＹＥＳ）、判定部２２４は、閉塞状態のベースバンドカードに対するカード制御情報をカード制御部２２６に通知し（Ｓ２１０）、判定２の処理は終了する。このカード制御情報は、ベースバンドカードに電源オフを指示する情報である。カード制御部２２６は、ベースバンド処理部２０６及びスイッチ２３２に対し閉塞状態のベースバンドカードを電源オフ状態にすることを指示する。スイッチ２３２は、閉塞状態のベースバンドカードに対する一次電源２３０による電力の供給を停止する。閉塞状態のベースバンドカードが存在しない場合（Ｓ２０８；ＮＯ）、判定２の処理は終了する。
【００４８】
電源オフガード時間内の受付不可発生率が、少なくとも１回、所定値を超えている場合（Ｓ２０６；ＮＯ）、判定部２２４は、閉塞状態のベースバンドカードが存在するか否かを確認する（Ｓ２１２）。この場合（Ｓ２０６；ＮＯ）、閉塞状態のベースバンドカードを稼動状態にすることで、受付不可発生率を下げることができる。閉塞状態のベースバンドカードが存在する場合（Ｓ２１２；ＹＥＳ）、判定部２２４は、閉塞状態のベースバンドカードに対するカード制御情報をカード制御部２２６に通知し（Ｓ２１４）、判定２の処理は終了する。このカード制御情報は、ベースバンドカードに閉塞解除を指示する情報である。カード制御部２２６は、ベースバンド処理部２０６に対し閉塞状態のベースバンドカードを稼動状態にすることを指示する。閉塞解除を指示されたベースバンドカードは、稼動状態に遷移する。閉塞状態のベースバンドカードが存在しない場合（Ｓ２１２；ＮＯ）、判定２の処理は終了する。
【００４９】
図８は、判定部が行う判定３の処理フローの例を示す図である。無線基地局２００が運用状態に入ると、判定部２２４は、図８に示す判定３の処理フローを実行する。判定部２２４は、一定期間（電源オンガード時間：ｔ２×ｍ２）の受付不可発生率が所定値（例えば、Ｎ％）を超える場合、電源オフ状態のベースバンドカードを稼動状態にする。
【００５０】
判定部２２４は、受付不可発生率を、周期ｔ２毎に、呼処理部２０８から取得する（Ｓ３０２）。判定部２２４は、呼処理部２０８から受付不可発生率を取得すると、取得した受付不可発生率が所定値（例えば、Ｎ％）以下であるか否かを確認する（Ｓ３０４）。
【００５１】
取得した受付不可発生率が所定値以下である場合（Ｓ３０４；ＹＥＳ）、判定部２２４は、変数ｍに、０を代入する（Ｓ３０６）。取得した受付不可発生率が所定値より大きい場合（Ｓ３０４；ＮＯ）、判定部２２４は、変数ｍに、ｍ＋１を代入する（Ｓ３０８）。
【００５２】
判定部２２４は、変数ｍが所定値ｍ２と等しいか否かを確認する（Ｓ３１０）。変数ｍが所定値ｍ２と等しくない場合（Ｓ３１０；ＮＯ）、処理がステップＳ３０２に戻る。変数ｍが所定値ｍ２と等しい場合（Ｓ３１０；ＹＥＳ）、判定部２２４は、電源オフ状態のベースバンドカードが存在するか否かを確認する（Ｓ３１２）。判定部２２４は、ベースバンド処理部２０６からカード状態を取得することにより、電源オフ状態のベースバンドカードが存在するか否かを確認できる。電源オフ状態のベースバンドカードが存在する場合（Ｓ３１２；ＹＥＳ）、判定部２２４は、電源オフ状態のベースバンドカードに対するカード制御情報をカード制御部２２６に通知する（Ｓ３１４）。このカード制御情報は、ベースバンドカードに電源オン（稼動状態にすること）を指示する情報である。カード制御部２２６は、ベースバンド処理部２０６及びスイッチ２３２に対し、電源オフ状態のベースバンドカードを稼動状態にすることを指示する。スイッチ２３２は、電源オフ状態の
ベースバンドカードに一次電源２３０による電力を供給する。電源オンを指示されたベースバンドカードは、稼動状態に遷移する。ステップＳ３１４の処理の後、判定部２２４は、変数ｍに、０を代入し（Ｓ３１６）、処理がステップＳ３０２に戻る。電源オフ状態のベースバンドカードが存在しない場合（Ｓ３１２；ＮＯ）、同様に、判定部２２４は、変数ｍに、０を代入し（Ｓ３１６）、処理がステップＳ３０２に戻る。
【００５３】
〈動作例の作用効果〉
無線基地局２００は、ベースバンドカードのリソース使用量を定期的に測定する。無線基地局２００は、測定されたリソース使用量に基づいて、リソース収容替え制御を行うベースバンドカードを選択する。無線基地局２００は、選択されたベースバンドカードについて、１枚ずつ、リソース収容替え制御を行う。無線基地局２００によると、ベースバンドカードのリソース使用量に応じて、リソース替え制御を行うことで、稼動状態のベースバンドカードの数が適切に変更される。
【００５４】
無線基地局２００は、リソース収容替え制御開始から所定時間（電源オフガード時間）経過後に予閉塞状態のベースバンドカードが存在する場合、当該ベースバンドカードを予閉塞状態から稼動状態に遷移させる。無線基地局２００によれば、リソース収容替え制御を行う期間を、所定期間（電源オフガード時間）に制限することができる。
【００５５】
無線基地局２００は、呼処理の受付不可発生率を監視する。無線基地局２００は、リソース収容替え制御中に受付不可発生率が所定値を超えた場合、閉塞状態のベースバンドカードを稼動状態にする。閉塞状態のベースバンドカードを稼動状態にすることで、受付不可発生率を低下させることができる。
【００５６】
無線基地局２００は、受付不可発生率が、所定時間、所定の値を超えた場合、電力供給が停止されているベースバンドカードに電源供給を行う。電力供給が停止されているベースバンドカードに電源供給を行うことで、稼動状態のベースバンドカードが増加し、受付不可発生率を低下させることができる。
【００５７】
無線基地局２００によれば、運用中の呼処理動作への影響を抑えつつ、消費電力を削減することができる。
【００５８】
（変形例）
変形例として、セルフリーのリソースを収容するサービス（例えば、既存サービス）と、特定セル括り付けのリソースを収容するサービス（例えば、ＨＳサービス）とに対応したベースバンドカードが存在する場合を示す。この場合、図５のタイムチャートにおいて、リソース測定部２２２でのリソース使用量の算出方法、通知方法および判定部２２４での判定１の処理フローが、上記の動作例と異なる。この変形例は、上記の構成例、動作例との共通点を有する。従って、ここでは主として相違点について説明し、共通点については、説明を省略する。
【００５９】
図９は、ベースバンドカードの構成およびリソース使用量の例を示す図である。
【００６０】
ベースバンド部２０６は、ベースバンドカード群１のベースバンドカードがＸ１枚、ベースバンドカード群２のベースバンドカードがＸ２枚で、合計（Ｘ１＋Ｘ２）枚のベースバンドカードを、含む。ベースバンドカード群１のベースバンドカードは、セルフリーのリソースを収容し、特定セル括り付けのリソースを収容しない。ベースバンドカード群２のベースバンドカードは、特定セル括り付けのリソースを収容する。ベースバンドカード群２のベースバンドカードは、セルフリーのリソースを収容することも可能である。特定セル括り付けのリソースは、他のベースバンドカードに収容替えすることはできない。セ
ルフリーのリソースは、通常、ベースバンドカード群１のベースバンドカードに収容される。
【００６１】
リソース測定部２２２が周期ｔ１で収集する各ベースバンドカードのリソース使用量は、ベースバンドカード群１のリソース（セルフリーのリソース）とベースバンドカード群２のリソース（特定セル括り付けのリソース）とを独立に収集される。判定部２２４に通知する全リソース使用量（平均リソース使用量、ｎ回目にサンプリングした直近のリソース使用量）も、独立に算出して判定部２２４に通知される。
【００６２】
特定セル括り付けのリソースを収容するベースバンドカード群２のベースバンドカードは、ＨＳサービスを提供するために使用されるベースバンドカードである。特定セル括り付けのリソースは、他のベースバンドカードに収容替えすることはできないため、ベースバンドカード群２のＸ２枚のベースバンドカードで稼働する場合が無線基地局２００の最小稼働状態となる。そこで、判定部２２４は、ベースバンドカード群１のベースバンドカードで収容するセルフリーのリソースをすべてベースバンドカード群２のＸ２枚のベースバンドカードに収容替えした時に目標平均使用率以下を満足できるか否かを判定する。また、判定部２２４は、セルフリーのリソースを収容替えした場合に特定セル括り付けの使用可能リソース量が減少することを考慮する。よって、判定部２２４は、ベースバンドカード２のＸ２枚の各カードにおけるリソース使用量がすべて許容閾値Ｑ以下であるか否かも判定する。
【００６３】
図１０は、判定部が行う判定１１の処理フローの例を示す図である。判定部２２４は、リソース測定部２２２からリソース使用量が通知されるタイミングで、図１０に示す判定１１の処理フローを開始する。図１０に示す判定１１は、上記の動作例における図５の判定１の代わりに実行される。
【００６４】
無線基地局２００が再開され運用状態に入ると、リソース測定部２２２は、リソース管理部２０９からベースバンドカード群１のベースバンドカードのリソース使用量をサンプリング周期ｔ１毎に収集する。リソース測定部２２２は、ベースバンドカード群１で使用している全リソース使用量を算出する。サンプリング数が所定のｎ回に達すると、リソース測定部２２２は、ベースバンドカード群１で使用している全リソース使用量、および、ｎ回目にサンプリングした各ベースバンドカードのリソース使用量を判定部２２４に通知する。ベースバンドカード群１の全リソース使用量は、全ベースバンドカードの平均リソース使用量Ｒ１ａｖｅ、全ベースバンドカードのｎ回目にサンプリングしたリソース使用量（直近のリソース使用量）Ｒ１ｎｏｗを含む。
【００６５】
また、リソース測定部２２２はリソース管理部２０９からベースバンドカード群２のベースバンドカードのリソース使用量をサンプリング周期ｔ１毎に収集し、ベースバンドカード群２で使用している全リソース使用量を算出する。サンプリング数が所定のｎ回に達すると、リソース測定部２２２は、ベースバンドカード群２で使用している全リソース使用量、および、ｎ回目にサンプリングした各ベースバンドカードのリソース使用量を判定部２２４に通知する。ベースバンドカード群２の全リソース使用量は、全ベースバンドカードの平均リソース使用量Ｒ２ａｖｅ、全ベースバンドカードのｎ回目にサンプリングしたリソース使用量（直近のリソース使用量）Ｒ２ｎｏｗを含む。
【００６６】
判定部２２４は、リソース測定部２２２からベースバンドカード群１の平均リソース使用量Ｒ１ａｖｅ、及び、直近のリソース使用量Ｒ１ｎｏｗを取得する。また、判定部２２４は、リソース測定部からベースバンドカード群２の平均リソース使用量Ｒ２ａｖｅ、及び、直近のリソース使用量Ｒ２ｎｏｗを取得する。判定部２２４は、Ｒ１ａｖｅ＋Ｒ２ａｖｅと、Ｒ１ｎｏｗ＋Ｒ２ｎｏｗとを比較する（Ｓ１１０２）。
【００６７】
Ｒ１ａｖｅ＋Ｒ２ａｖｅがＲ１ｎｏｗ＋Ｒ２ｎｏｗ以上である場合（Ｓ１１０２；ＹＥＳ）、判定部２２４は、変数ＲにＲ１ａｖｅ＋Ｒ２ａｖｅを代入する（Ｓ１１０４）。また、Ｒ１ａｖｅ＋Ｒ２ａｖｅがＲ１ｎｏｗ＋Ｒ２ｎｏｗ未満である場合（Ｓ１１０２；ＮＯ）、判定部２２４は、変数ＲにＲ１ｎｏｗ＋Ｒ２ｎｏｗを代入する（Ｓ１１０６）。変数Ｒは、平均リソース使用量、及び、直近のリソース使用量のうち、大きい方である。
【００６８】
判定部２２４は、次の式を満たすか否かを判定する（Ｓ１１０８）。
【００６９】
【数２】
2011101104.tif 000004
【００７０】
ここで、Ｐ２は、ベースバンドカード群２のベースバンドカードの目標平均使用率である。ｒ２は、ベースバンドカード群２のベースバンドカード１枚当たりの収容可能リソースである。この式の左辺は、ベースバンドカード群２のベースバンドカードで無線基地局２００が運用されるときの目標平均使用量を示す。この目標平均使用量は、無線基地局２００が、ベースバンドカード群１のベースバンドカードを使用せず、ベースバンドカード群２のベースバンドカードで安定運用できるリソース使用量である。
【００７１】
上記の式を満たす場合（Ｓ１１０８；ＹＥＳ）、判定部２２４は、ベースバンドカード群２の各ベースバンドカードの直近のリソース使用量がすべて許容閾値Ｑ以下であるか否かを判定する（Ｓ１１１０）。
【００７２】
ベースバンドカード群２の各ベースバンドカードの直近のリソース使用量がすべて許容閾値Ｑ以下である場合（Ｓ１１１０；ＹＥＳ）、判定部２２４は、ベースバンドカード群１のすべてのベースバンドカードに対するカード制御情報をカード制御部２２６に通知する（Ｓ１１１２）。このカード制御情報は、ベースバンドカード群１のすべてのベースバンドカードに対するリソース収容替え制御を指示する情報を含む。カード制御部２２６は、判定部２２４から通知されるカード制御情報に基づいてベースバンドカード群１のベースバンドカードのリソース収容替え制御を行う。ベースバンドカード群１のベースバンドカードに収容されるリソースは、ベースバンドカード群２のベースバンドカードに収容される。
【００７３】
上記の式を満たさない場合（Ｓ１１０８）、ベースバンドカード群１のベースバンドカードに対して、図６の判定１を実施する（Ｓ１１１４）。また、ベースバンドカード群２のベースバンドカードの直近のリソース使用量のうち少なくとも１つが許容閾値Ｑより大きい場合（Ｓ１１１０；ＮＯ）、ベースバンドカード群１のベースバンドカードに対して、図６の判定１を実施する（Ｓ１１１４）。
【００７４】
〈変形例の作用効果〉
ベースバンドカード群１及びベースバンドカード群２のベースバンドカードを含む無線基地局２００は、それぞれのリソース使用量を測定する。無線基地局２００は、測定されたリソース使用量に基づいて、セルフリーのリソースを収容するベースバンドカード群１のベースバンドカードから、リソース収容替え制御を行うベースバンドカードを選択する。無線基地局２００は、ベースバンドカード群２のベースバンドカードのリソース使用量が所定値以下である場合、ベースバンドカード群１のベースバンドカードに収容されるリソースをベースバンドカード群２のベースバンドカードに収容できる。ベースバンドカー
ド群１のベースバンドカードのリソースをベースバンドカード群２のベースバンドカードに収容することで、ベースバンドカード群１のベースバンドカードに対する電力供給を停止することができ、消費電力を削減することができる。
【００７５】
無線基地局２００によれば、運用中の呼処理動作への影響を抑えつつ、消費電力を削減することができる。
【符号の説明】
【００７６】
１００          基地局制御局
２００          無線基地局
２０２            回線処理部
２０４            監視制御部
２０６            ベースバンド処理部
２０８            呼処理部
２０９            リソース管理部
２１０            無線部
２２２            リソース測定部
２２４            判定部
２２６            カード制御部
２３０            一次電源
２３２            スイッチ
２５０            アンテナ
３００          移動局
４００          保守端末
【図１】
2011101104.tif 000005
【図２】
2011101104.tif 000006
【図３】
2011101104.tif 000007
【図４】
2011101104.tif 000008
【図５】
2011101104.tif 000009
【図６】
2011101104.tif 000010
【図７】
2011101104.tif 000011
【図８】
2011101104.tif 000012
【図９】
2011101104.tif 000013
【図１０】
2011101104.tif 000014